(57)【要約】【課題】  車載機器の装着および姿勢調整を簡単に行え、安定した保持が行える車載機器の取り付け具を提供すること【解決手段】  基台１の底面にゲル状材料の粘着性シート５を設け、基台上には車載機器２を着脱可能に保持するための連係手段を備える。連係手段は、曲率面の凹部６と対応曲率面の凸部７とを嵌め合わせ密着し、当該接触面に配置した粘着性部材８により両者の固定を行う構成にする。凹部は車載機器の本体３の底面へ設け、凸部は基台上に設ける。凸部には粘着性部材８を略面一状態に埋め込み設けるが、孔部９へゲル状材料を充填させ、粘着性シート５，粘着性部材は一体に形成する。凹部，凸部の連係は所定の曲率面の嵌め合わせ密着であり、装着するまでは相互の相対的な位置ずれを許容できるため姿勢の調整が行える。そして、適度な力を加えることで粘着性部材との密着を強固にできる。【選択図】  図２
2010241297.tif 000002
【特許請求の範囲】
【請求項１】
車載機器を車室内の所定位置に固定するため、前記車載機器の取り付け面を組み付けさせて適宜な姿勢に保持する車載機器の取り付け具であって、
底面に車両側に接触して固定する固定手段を有する基台を備え
当該基台上に前記車載機器を着脱可能に保持するための連係手段を有し、
当該連係手段は、前記車載機器の取り付け面に符合する凸部または凹部を有する接触面と、その接触面に前記車載機器を組み付けた状態で当該車載機器の姿勢を保持する保持手段と、を備え、
前記保持手段による保持前は、前記車載機器は前記基台に対して異なる姿勢で組み付け可能としたことを特徴とする車載機器の取り付け具。
【請求項２】
前記保持手段による保持する力は、前記固定手段による固定する力よりも小さいことを特徴とする請求項１に記載の車載機器の取り付け具。
【請求項３】
前記接触面の形状は、球面の一部を含むものであることを特徴とする請求項１または２に記載の車載機器の取り付け具。
【請求項４】
前記保持手段は、粘着性部材を利用して前記取り付け面と前記接触面との固定を行うものであることを特徴とする請求項１〜３のいずれか１項に記載の車載機器の取り付け具。
【請求項５】
前記粘着性部材は、前記接触面の表面と面一状態に埋め込み形成されていることを特徴とする請求項４のいずれか１項に記載の車載機器の取り付け具。
【請求項６】
前記粘着性部材を面一状態に埋め込み設ける前記凸部あるいは前記凹部において、前記粘着性部材を囲む部位を別体により形成するとともに、当該別体を上下にシフトさせる上下シフト手段を備え、
前記別体が上昇位置では前記粘着性部材の面一状態が解除して前記粘着性部材の表面が前記別体の表面よりも下方に位置し、下降位置では前記粘着性部材が面一状態に戻る構成であることを特徴とする請求項５に記載の車載機器の取り付け具。
【請求項７】
前記粘着性部材を面一状態に埋め込み設ける前記凸部あるいは前記凹部において、前記粘着性部材を囲む部位を別体により形成するとともに、当該粘着部材の部分を上下にシフトさせる上下シフト手段を備え、
前記粘着部材の部分が上昇位置では前記粘着性部材と前記別体の表面が面一状態となり、前記粘着部材の部分が下降位置では前記面一状態が解除してその粘着部材の表面が前記別体の表面よりも下方に位置する構成であることを特徴とする請求項５に記載の車載機器の取り付け具。
【請求項８】
前記別体は表面にゴム部材等の摩擦が大きい部材を一体に設け、所定の摩擦性表面を有する構成であることを特徴とする請求項６または７に記載の車載機器の取り付け具。
【請求項９】
前記粘着性部材は、前記取り付け面の表面と面一状態に埋め込み形成されていることを特徴とする請求項４または５のいずれか１項に記載の車載機器の取り付け具。
【請求項１０】
前記接触面を構成する前記凸部あるいは前記凹部は、前記粘着性部材に対向しその粘着性部材に密着可能な密着部位と、その密着部位を囲む周辺部位とを備え、
その密着部位と周辺部位とは別部材で構成されて相対的に昇降移動可能となるとともに、前記密着部位が相対的に上昇した位置では前記密着部位と前記周辺部位が面一状態となり、前記密着部位が相対的に下降した位置では前記面一状態が解除してその密着部位が前記周辺部位よりも下方に位置する構成としたことを特徴とする請求項９に記載の車載機器の取り付け具。
【請求項１１】
前記固定手段はゲル状材料からなる粘着性シートであって、前記粘着性シートは前記粘着性部材と比べて粘着力を大きい値に設定し、前記車載機器を引き上げた際に前記粘着性部材の密着が離れる設定であることを特徴とする請求項４から１０のいずれか１項に記載の車載機器の取り付け具。
【請求項１２】
前記固定手段はゲル状材料からなる粘着性シートであって、前記粘着性シートは前記粘着性部材と比べて面積サイズを大きい値に設定することを特徴とする請求項４から１１のいずれか１項に記載の車載機器の取り付け具。
【請求項１３】
前記車載機器が、前記基台に対して異なる姿勢で組み付けられる範囲の広い方に、前記粘着性部材を大きく配置したことを特徴とする請求項４から１２のいずれか１項に記載の車載機器の取り付け具。
【請求項１４】
前記粘着性部材は、前記凸部あるいは前記凹部の略中央に配置し、前記車載機器が前記基台に対して異なる姿勢で組み付けられる範囲内で露出しない設定であることを特徴とする請求項４から１３の何れか１項に記載の車載機器の取り付け具。
【請求項１５】
前記粘着性部材は、ゲル状材料からなることを特徴とする請求項４から１４の何れか１項に記載の車載機器の取り付け具。
【請求項１６】
前記基台には上下に連なる孔部を設け、当該孔部へ前記ゲル材料を充填させて一体化成形することにより、前記粘着性シートおよび前記粘着性部材を一体に形成することを特徴とする請求項１５に記載の車載機器の取り付け具。
【請求項１７】
前記粘着性部材は、配置部位に対して異種材料の一体化成形により一体に形成する構成であることを特徴とする請求項４から１６の何れか１項に記載の車載機器の取り付け具。
【請求項１８】
請求項１〜１７のいずれかに記載の車載機器の取り付け具と、
その取り付け具に保持される表示部付きの車載機器と、を備えた装置。
【発明の詳細な説明】
【技術分野】
【０００１】
本発明は、車載機器の取り付け具及び装置に関するもので、より具体的には、ナビゲーション装置などの車載機器の取り付け面等を組み付けさせて保持する取り付け具の姿勢の調整および固定の容易性の改良に関する。
【背景技術】
【０００２】
車両に装備する車載機器にあっては、工場出荷時等に予めダッシュパネルの該当部位に組み付けしておくものもあるが、オプション装備のためのアフターマーケット商品の場合はダッシュパネルに組み付け部位を確保できないことがほとんどである。そのため、そのような車載機器の多くは、運転者が操作する都合からダッシュボード上に固定する配置を採ることが多い。例えばナビゲーション装置などの表示パネルを有する車載機器は、運転者の操作性はもちろん、視認性も良好に得るため、ダッシュボードの上面で運転の妨げにならない位置を選ぶことになる。
【０００３】
車載機器をダッシュボード上へ固定するには、両面粘着シート材を用いて貼り付ける方法が簡単であり、アフターマーケット商品の多くが採用している。しかし、両面粘着シート材を貼り付けた場合、貼り直しが困難であること、並びに、はがした際にダッシュボードの表面に粘着物が残ってダッシュボードが汚れる等の問題がある。
【０００４】
そこで例えば特許文献１などに見られるように、吸盤を用いて吸着により車載機器の支持，固定を行う技術の提案がある。吸盤を利用した技術は比較的によく知られており、特許文献１のものでは、吸盤の吸着面にゲル状材料の膜層を一体に設けている。これにより、シボ加工の細かい凹凸があるような表面等でも良好に吸着でき、吸着性を向上することができる。
【０００５】
そして、アフターマーケット商品の場合、ユーザの手で簡便に取り付けられることが望ましい。一方で、車両に加工を施さずに簡単に、しかも確実に車載機器を固定できることが求められている。
【先行技術文献】
【特許文献】
【０００６】
【特許文献１】特開２００６−３４７１３８号公報
【発明の概要】
【発明が解決しようとする課題】
【０００７】
車載機器の装着においては、上述したような取り外し跡面が粘着性の残留物によって汚れてしまう問題も重要と言えるが、基本的には装着が簡単であること、車載機器の向き姿勢の調整が簡単に行えること、が求められる。これはよくあるように、ダッシュボード上に車載機器の取り付けを完了した後、運転席等から視認性，操作性のチェックを行うと、装着位置が良好位置ではないことに気がつくことがあり、表示パネルの向きも想定していた向きとは違っており、しかも向き姿勢の調整が容易に行えない構造であることに気がつくことがある。そうした場合、ダッシュボード上から一旦車載機器（吸盤等の取り付け具）を引きはがすとともに、向き姿勢が適切になるように再度装着し直すことになる。従って、装着作業が簡単に行えることが重要と言える。また、表示パネルの向きを所望する向き姿勢に容易に調整できない構造では利用者の不満が高まり論外と言える。
【０００８】
このように、従来の車載機器の取り付け具は、車載機器の装着および姿勢調整を簡単に行えず、安定した保持が行えないといった課題がある。
【課題を解決するための手段】
【０００９】
上記の課題を解決するために、本発明は、（１）ナビゲーション装置などの車載機器を車室内の所定位置に固定するため、前記車載機器の取り付け面等を組み付けさせて適宜な姿勢に保持する車載機器の取り付け具であって、底面に車両側に接触して固定する固定手段を有する基台を備え当該基台上に前記車載機器を着脱可能に保持するための連係手段を有し、当該連係手段は、前記車載機器の取り付け面に符合する凸部または凹部を有する接触面と、その接触面に前記車載機器を組み付けた状態で当該車載機器の姿勢を保持する保持手段と、を備え、前記保持手段による保持前は、前記車載機器は前記基台に対して異なる姿勢で組み付け可能とした。固定手段は、実施形態では、ゲル状の粘着性シート５に対応する。粘着性シートを用いると、一旦車室内の所定位置（ダッシュボード等）の上に装着後に引きはがしたとしても、車室内の貼り付け部位が汚れないので好ましい。固定手段は、粘着性シートに限ることはなく、両面接着テープや、面ファスナーその他各種の手段を用いることができる。保持手段は、実施形態では、粘着性部材８により実現されている。この保持手段は、好ましくは、接触面と取り付け面が接触した状態で、所定の保持力が発揮して車載機器を組み付けた状態の姿勢で保持することができるが、保持力を上回る一定の力以上が加わると、接触面から取り付け面が離反し、車載機器は基台から離反・離脱できるようなものとする。このような機能を備えたものとしては、実施形態のように粘着性部材が簡単な構成で実現できるので好ましいが、一方または双方に設けた磁石による吸引力，摩擦力，嵌め合いによる挟む力等、各種のものを利用できる。凸部・凹部（接触面）の表面形状は、実施形態では球面の一部を用いるようにしたが、これに限ることはなく、たとえば、円柱の側面や、半円柱（かまぼこ型），円錐形，円錐の頂部に丸みをおびさせるなど、各種の形状をとることができる。
【００１０】
係る構成にすることにより本発明では、基台は底面の固定手段により所定位置へ固定でき、車載機器は凹部，凸部の嵌め合わせるとともに保持手段により車載機器を基台に装着した状態の姿勢で保持することができる。そして、本発明は、車載機器を基台に対して着脱自在に装着できると共に、車載機器は基台に対して異なる姿勢で組み付けることができるので、所望の姿勢になるように組み付け、仮に所望の姿勢でない場合には、再度姿勢を変えて組み付けることで、姿勢の調整が行える。そして、目的とする姿勢で組み付けることができたならば、保持手段による保持力でその状態を保持できる。
【００１１】
（２）保持手段による保持する力は、固定手段による固定する力よりも小さいように設定するのが好ましい。そのようにすると、車載機器を基台から離脱する方向に力を加えると、基台が車室内の所定位置に固定された状態を維持しつつ、基台から車載機器が離脱される。つまり、一旦基台と共に車載機器をダッシュボード等の車室内の所定位置に設置した後に、車載機器の向き・姿勢を変更したい場合、車載機器を引き上げると、車載機器が基台から分離される。このとき、基台は、車室内の所定位置に取り付けられた状態のままとなる。そこで、車載機器の向き・姿勢を適宜になるようにその車載機器を基台に再度装着する。このように、車載機器を取り外す際に、基台を押さえる必要もないのでの簡単に車載機器の基台からの取り外しと再装着ができ、姿勢の調整等を容易に行える。
【００１２】
（３）前記接触面の形状は、球面の一部を含むものとするとよい。（１）でも説明したが、球面とすることで、車載機器の姿勢の取り得る範囲（可動方向）の自由度が高まり、利用者の所望の方向で固定できるので好ましい。特に、球面にした場合、第３の実施形態のように、車載機器の形状を球体にすると、車載機器の向き・姿勢の自由度がさらに増すので好ましい。
【００１３】
（４）前記保持手段は、粘着性部材を利用して前記取り付け面と前記接触面との固定を行うものとするよい。このようにすると、適度な力を加えることで粘着性部材との密着を強固にでき、固定を完了できる。
【００１４】
（５）前記粘着性部材は、前記接触面の表面と面一状態に埋め込み形成されているようにするとよい。このようにすると、粘着性部材が接触面の表面から突出することもなく、確実に密着させて保持することができるともに、粘着性部材の部分で取り付け面と接触面とが密着して保持された際には、粘着性部材を設けていない部位でも両者間で接触するので、姿勢が安定する。
【００１５】
（６）前記粘着性部材を面一状態に埋め込み設ける前記凸部あるいは前記凹部において、前記粘着性部材を囲む部位を別体により形成するとともに、当該別体を上下にシフトさせる上下シフト手段を備え、前記別体が上昇位置では前記粘着性部材の面一状態が解除して前記粘着性部材の表面が前記別体の表面よりも下方に位置し、下降位置では前記粘着性部材が面一状態に戻る構成とするとよい。これは、第２実施形態で実現されている。このようにすると、別体が相対的に上昇し、粘着性部材を下降位置に位置させた状態で車載機器をその別体の上に置くことで、一旦仮置きし車載機器の姿勢の調整が簡単に行える。そして、姿勢・角度が決まったならば、別体を下降させて粘着性部材と車載機器を接触・密着させることで、仮置きにより決めた角度で確実に固定させることが容易にできる。
【００１６】
（７）前記粘着性部材を面一状態に埋め込み設ける前記凸部あるいは前記凹部において、前記粘着性部材を囲む部位を別体により形成するとともに、当該粘着部材の部分を上下にシフトさせる上下シフト手段を備え、前記粘着部材の部分が上昇位置では前記粘着性部材と前記別体の表面が面一状態となり、前記粘着部材の部分が下降位置では前記面一状態が解除してその粘着部材の表面が前記別体の表面よりも下方に位置する構成としてもよい。このようにしても、上記の（６）と同様の作用効果を奏することができる。
【００１７】
（８）前記別体は表面にゴム部材等の摩擦が大きい部材を一体に設け、所定の摩擦性表面を有する構成とするよい。このようにすると、仮置きの際、あるいは、その後に別体を下降移動させる際に、摩擦力により車載機器を安定して支えることができるので好ましい。
【００１８】
例えば、別体が本体と接触する部位に摩擦の大きい部材を設ければ、本体を別体上に仮置きした後に、本体をもって回転等させて別体とともに下降させ、本体と基台とを固定することができる。このように本体と基台とを固定した後、基台と車両との位置あわせをして固定するようにしてもよい。また、例えば、別体が本体と接触する部位に摩擦の小さい部材を設け、別体上に設けた前記下降のための操作部に摩擦の大きい部材を設ければ、基台と車両とを固定した後に、別体上に本体を載せ、別体上で本体を所望の姿勢に保持しつつ別体と本体とを滑らせながら、操作部を容易に操作して別体を下降させることができ、本体と基台とを所望の姿勢で固定することが容易にできる。
【００１９】
（９）前記粘着性部材を取り付け面側に設ける場合、その粘着性部材は前記取り付け面の表面と面一状態に埋め込み形成されるようにするとよい。
【００２０】
（１０）前記接触面を構成する前記凸部あるいは前記凹部は、前記粘着性部材に対向しその粘着性部材に密着可能な密着部位と、その密着部位を囲む周辺部位とを備え、その密着部位と周辺部位とは別部材で構成されて相対的に昇降移動可能となるとともに、前記密着部位が相対的に上昇した位置では前記密着部位と前記周辺部位が面一状態となり、前記密着部位が相対的に下降した位置では前記面一状態が解除してその密着部位が前記周辺部位よりも下方に位置する構成とするとよい。このようにしても、上記の（６）と同様の作用効果を奏することができる。
【００２１】
（１１）前記固定手段はゲル状材料からなる粘着性シートであって、前記粘着性シートは前記粘着性部材と比べて粘着力を大きい値に設定し、前記車載機器を引き上げた際に前記粘着性部材の密着が離れる設定とするとよい。車載機器を持ち上げた際に、基台と車両との間が離れるのではなく、基台と車載機器の間が離れるので、簡単に車載機器の着脱が行え、角度調整が容易となる。
【００２２】
（１２）前記固定手段はゲル状材料からなる粘着性シートであって、前記粘着性シートは前記粘着性部材と比べて面積サイズを大きい値に設定するとよい。このようにすると、粘着性シートの粘着力を相対的に強くできるので好ましい。
【００２３】
（１３）前記車載機器が、前記基台に対して異なる姿勢で組み付けられる範囲の広い方に、前記粘着性部材を大きく配置するとよい。たとえば、車載機器が左右方向に対しては比較的広い範囲で各位置での姿勢を取ることができるが、前後（上下）方向に対しては異なる姿勢の取り得る範囲が狭いような場合、左右方向に対して粘着性部材の配置面積を広くする。このようにすることで、効果的に粘着性部材を配置でき、車載機器が許容される異なる姿勢のどの状態で組み付けたとしても粘着性部材にて確実に保持することができる。
【００２４】
（１４）前記粘着性部材は、前記凸部あるいは前記凹部の略中央に配置し、前記車載機器が前記基台に対して異なる姿勢で組み付けられる範囲内で露出しない設定とする。このようにすれば、車載機器をどのような位置・姿勢・向きに設置したとしても、粘着性部材が露出しないので、その粘着性部材に誇り等が付着し、汚れると共に粘着力が弱まることが抑制できる。
【００２５】
（１５）前記粘着性部材は、ゲル状材料から構成するとよい。
【００２６】
（１６）前記基台には上下に連なる孔部を設け、当該孔部へ前記ゲル材料を充填させて一体化成形することにより、前記粘着性シートおよび前記粘着性部材を一体に形成するとよい。
【００２７】
（１７）前記粘着性部材は、配置部位に対して異種材料の一体化成形により一体に形成する構成とするとよい。
【００２８】
（１８）本発明の装置は、上記の（１）〜（１７）のいずれかに記載の車載機器の取り付け具と、その取り付け具に保持される表示部付きの車載機器と、を備えた。たとえば、基台の接触面を凹部にするとともに車載機器の取り付け面にはその凹部と嵌め合う凸部を設ける構成とした場合、車載機器の凸部に回路部品等が入れられスペースが確保できるので好ましい。また、逆に、基台の接触面を凸部にするとともに車載機器の取り付け面にはその凸部と嵌め合う凹部を設ける構成とした場合、車載機器の凹部を埋める部材を設けたり、車載機器の凹部よりも広い面積の粘着材等を設けたりすることで、車載機器を直接ダッシュボード等に固定することもできる。さらに、接触面に球面の一部からなる凹部を設け、車載機器を球体或いは半球体のものを用いると、取付角の自由度を非常に大きくすることができる。
【発明の効果】
【００２９】
本発明は、基台は固定手段にて所定位置へ固定でき、車載機器は、異なる姿勢で基台に装着すると共に保持手段でその装着した状態（姿勢）を保持することができるので、装着時の姿勢を適宜にすることで姿勢の調整が行える。
【図面の簡単な説明】
【００３０】
【図１】本発明に係る車載機器の取り付け具の第１の実施形態であり、表示部，本体を基台から分離して示す斜視図である。
【図２】図１の取り付け状態を示す図である。
【図３】車載機器の取り付け具の第２の実施形態であり、表示部，本体を基台から分離して示す斜視図である。
【図４】図３の取り付け工程を説明する図であり、可動凸部７０を上昇させた状態を示す図である。
【図５】図３の取り付け工程を説明する図であり、表示部，本体の姿勢を調整する際の状態（ｂ）、姿勢の調整を完了した後の可動凸部７０の下降状態（ｃ）を示している。
【図６】車載機器の取り付け具の第３の実施形態であり、表示部，本体を基台から分離して示す斜視図である。
【図７】図６の取り付け状態の断面図である。
【発明を実施するための形態】
【００３１】
以下、図面を用いて本発明の好適な実施形態を説明する。図１は本発明の第１の実施形態を示している。本実施形態において車載機器の取り付け具は、ダッシュボード等へ固定させる基台１を備え、基台１上には車載機器２を着脱可能に保持するための連係手段を有し、その基台１上で車載機器２を適宜な姿勢に保持する構成になっている。
【００３２】
車載機器２は例えばナビゲーション装置やマイクロ波検出装置などであり、本体３に情報表示のための表示部４を付設している。そして、その本体３の底面が、取り付け面になっている。
【００３３】
基台１は、略円板形状であり底面に粘着性シート５を有し、この粘着性シート５を利用して、ダッシュボード等の車室内の所定位置へ張り付ける。連係手段は、所定の曲率面からなる凹部６を一方へ設け、他方に設けた対応曲率面の凸部７と嵌め合わせて密着する構成を採る。この両者間の嵌め合わせ密着されるまでの間は、車載機器２を基台１に装着する際の相互の相対位置の位置ずれを許容し、異なる姿勢で組み付けることができるようにしているとともに、凹部６と凸部７との互いの接触面には少なくとも何れか一方に粘着性部材８を配置して両者間を嵌め合わせ密着して両者の固定を行う構成を採る。本形態では、凹部６は本体３の底面（取り付け面）に設け、凸部７は基台１上に設けている。粘着性部材８は、凸部７の略中央位置へ略面一状態に埋め込み設ける構成にしている。
【００３４】
凹部６，凸部７の曲率面は、例えば球体の表面の一部がなす面と等しい値に形成する。球体の表面は空間上のある定点から等距離にあるすべての点の集合（軌跡）になるので、その一部と等しい値に形成した凹部６，凸部７では嵌め合わせ密着が組み付けて装着するまでは相互の位置ずれを許容し、位置ずれの自由度はピッチ（上下動作），ロール（傾き動作），ヨー（偏り動作）の３軸になる。そして、凹部６，凸部７を嵌め合わせ密着した際は、車載機器２（本体３）には基台１に対して適宜な姿勢で固定させることができ、姿勢の自由度は概ね自在と言える。
【００３５】
凹部６，凸部７の曲率面は球体の表面形状には限らず、適宜に設定することができる。例えば円柱を半割りして横にした表面と等しい値に形成することができ、これは嵌め合わせ密着の際の相対的な位置ずれの自由度がピッチ（上下動作）あるいはロール（傾き動作）の何れか１軸になる。また、例えば円錐の表面と等しい値に形成することができ、これは嵌め合わせ密着の際の相対的な位置ずれの自由度がヨー（偏り動作）の１軸になる。
【００３６】
粘着性シート５および粘着性部材８は、柔軟性が高く粘着力が大きいゲル状材料から形成している。本実施形態では図２に示すように、基台１には上下に連なる孔部９を設け、当該孔部９へゲル状材料を充填させて一体化成形することにより、粘着性シート５および粘着性部材８を一体に形成する構成になっている。つまり、粘着性シート５および粘着性部材８は、配置部位に対して異種材料の一体化成形により一体に形成している。基台１は樹脂材料等から形成するが異種材料の一体化成形により良好に一体化するため、車室内の使用環境において十分な耐候性を発現することができ、ゲル状材料が剥離してしまう等のトラブルの心配はない。
【００３７】
粘着性シート５は粘着性部材８と比べて粘着力を大きい値に設定し、車載機器２を引き上げた際に粘着性部材８の密着が離れる設定にしている。これは粘着性シート５，粘着性部材８それぞれの材料特性を調整することで設定できるが、同一のゲル状材料から一体化形成する場合は難しい。本形態では、粘着性シート５は粘着性部材８と比べて面積サイズを大きい値に設定し、粘着力を大きくするようにしている。
【００３８】
粘着性部材８は凸部７の略中央に配置しており、これは凹部６と凸部７との嵌め合わせ密着が最大ずれ位置であっても密着の重なり領域内に位置して露出しない設定に設けている。そして、粘着性部材８は、凹部６と凸部７との嵌め合わせ密着のずれ位置領域において最大サイズに設けるようになっている。
【００３９】
基台１はダッシュボート等の車室内の所定位置へ設置する。この設置は、接着剤等を用いた貼り付けを行うのではなく、この基台１を所定位置へ単に置いて適度な力で押し当てて密着させる作業を行うことでよい。基台１の底面の粘着性シート５が柔軟で粘着力を有するので、押し当て置いた位置に固定させることができる。次に、車載機器２の取り付け面を基台１へ組み付けて適宜な姿勢に調整する。これは本体３の凹部６を凸部７へ嵌め合わせて密着させることでよく、このとき強く押し当てると凹部６が粘着性部材８と強力に密着して固定が完了する。このため、凹部６を凸部７へ嵌め合わせる密着は、まず軽い力で嵌め合わせ、この状態で本体３の向き姿勢を適宜に変えて姿勢調整を行い、調整を完了した時点で適度な力を加えて再度押し当てする手順になる。
【００４０】
このように、本実施形態では、基台１は底面のゲル状材料の粘着性シート５により所定位置へ固定でき、本体３は凹部６，凸部７の嵌め合わせ密着により連係できる。凹部６，凸部７の連係は所定の曲率面の嵌め合わせ密着であり、密着前は相互の相対的な位置ずれを許容できることから姿勢の調整が簡単に行える。そして、適度な力を加えることで粘着性部材８との密着を強固にでき、固定を完了できる。したがって、車載機器２の装着および姿勢調整を簡単に行えて、安定した保持が行える。
【００４１】
この場合、粘着性シート５はゲル状材料なので、柔軟性の材料そのものが粘着力を発現し、はがした跡に残留物が残ることはなく、貼り直しや撤去等でも元の装着部位を汚損しない。
【００４２】
また、粘着性シート５は粘着性部材８と比べて粘着力を大きい値に設定しているので、本体３を持ち上げた際は基台１が設置部位からはがれるのではなく、凸部７から凹部６がはがれて外すことができる。このため、車載機器２の姿勢調整のやり直しが容易であり、装着作業の利便性が高い。
【００４３】
粘着性部材８の配置は、凹部６と凸部７との嵌め合わせ密着が最大ずれ位置であっても密着の重なり領域内に位置して露出しない設定に設けるので、粘着性部材８の表面にほこり等が付着することがなく、ほこり等の付着による粘着力の低下を防止できる。
粘着性部材８は、凹部６と凸部７との嵌め合わせ密着のずれ位置領域において最大サイズに設けるので、これにより粘着力を最大にでき、固定を強固に行える。
【００４４】
また、本体３と基台１との連係が凹部６，凸部７の嵌め合わせ密着によるものなので、嵌め合わせにより重なる分は高さが低くなり、このため、取り付け装着の高さを低くすることができる。これはダッシュボード上に背の高いものがあると視界のじゃまになるので、車載機器２を含めた全体の取り付け装着の高さを低くできることは、メリットが大きい。
【００４５】
本体３の取り付け面（底面）へ凹部６を設ける構成を採るとき、適宜なサイズの両面粘着部材を用意し、その両面粘着部材により本体３を直接にダッシュボード等へ固着させることもでき、取り付け装着の高さを低くすることができる。これは本体３の底面が突起のない設定であるため可能である。この場合において、例えば凹部６には埋め込み部材を配置して平坦面に成形する処理を行ってもよい。
【００４６】
図３は本発明の第２の実施形態を示している。本実施形態において車載機器の取り付け具は、基本的には第１の実施形態と同様であり、ダッシュボード等へ固定させる基台１を備えるとともに、基台１上には車載機器２を着脱可能に保持するための連係手段を有し、その基台１上で車載機器２を適宜な姿勢に保持する構成になっている。第１の実施形態と同様な構成には同一符号を付してあり、その説明を省略する。
【００４７】
本実施形態では、連係手段の凸部の構成を変更している。基台１は略方形板形状であり、基台１上の凸部は中央に粘着性部材８を略円形に配置するが、粘着性部材８を囲む部位を別体により形成し、その別体を上下にシフトさせる上下シフト手段を備える。つまり、図４に示すように、この別体は上下にシフトする可動凸部７０になっていて、その可動凸部７０が上昇位置では粘着性部材８の略面一状態が解除して下方に位置し、下降位置では粘着性部材８が略面一状態に戻る構成になっている。
【００４８】
可動凸部７０には表面（曲率面）にゴム部材等の摩擦が大きい部材を一体に設け、所定の摩擦性表面１０にしている。これは曲率面側の表面にゴム部材の薄膜を一体化成形することにより摩擦性表面１０を形成でき、あるいは曲率面をなす表面そのものを粗く表面仕上げすることにより所定の摩擦性表面１０に仕上げることでもよい。
【００４９】
可動凸部７０を上下にシフトさせる上下シフト手段はねじ条による構成になっている。これは図４，図５に示すように、基台１は基板１１の中央に柱状のホルダ支柱１２を有し、ホルダ支柱１２上側のプレート部に粘着性部材８を保持し、基板１１の底面に粘着性シート５を一体に有する構成であり、ホルダ支柱１２の外周にねじ条１２ａを設けている。そして、可動凸部７０の中央部分はホルダ支柱１２に嵌め合う筒形状に成形し、その内周にねじ条７０ａを対応させて設けている。また、粘着性シート５および粘着性部材８は、柔軟性が高く粘着力が大きいゲル状材料から形成している。粘着性部材８はゲル状材料には限らず、例えば磁石を用いた構成を採ることもできる。
【００５０】
この場合、まず基台１をダッシュボード等の車室内の所定位置へ設置する。そして図４に示すように、可動凸部７０をねじ回すことにより上昇させ、可動凸部７０が上昇位置では粘着性部材８の略面一状態が解除して下方に位置する状態になる。
【００５１】
次に図５（ａ）に示すように、本体３の凹部６を可動凸部７０に嵌め合わせて仮置きして載せてその姿勢を調整する。可動凸部７０の曲率面は所定の摩擦性表面１０にしてあるので適度な摩擦があり、凹部６の位置をずらす操作を適度な摩擦の下に行うことができ、姿勢調整を適度な摩擦で行えるので調整を確実に行うことができる。
【００５２】
姿勢調整が完了したならば図５（ｂ）に示すように、本体３をおさえて保持しつつ可動凸部７０を逆にねじ回すことにより下降させ、可動凸部７０が下降位置では粘着性部材８が略面一状態に戻る。このため、粘着性部材８が凹部６と密着して固定が完了する。このように、可動凸部７０を上昇させて粘着性部材８が機能しない状態で本体３の凹部６を嵌め合わせることができるため、姿勢調整が容易に行えて作業性がよい。
【００５３】
なお、本実施形態では、上下シフト手段により可動凸部７０が昇降移動するようにしたが、粘着性部材８側が昇降移動するようにしても良い。また、上下シフト手段は、ねじ条を利用するようにすると、簡単な構成で実現できるので好ましいが、他の構成を採ることを妨げない。
【００５４】
また、本実施形態では、別体となる可動凸部７０が、本体３と接触する部位に摩擦の大きい部材を設けているので、本体３を可動凸部７０上に仮置きした後に、本体３をもって回転等させることで可動凸部７０とともに下降させ、本体３と基台１とを固定することができる。このように本体３と基台１とを固定した後、基台１と車両との位置あわせをして固定するようにしてもよい。
【００５５】
なお、これとは逆に、可動凸部７０が本体３と接触する部位に摩擦の小さい部材を設け、可動凸部７０上に設けた下降のための操作部に摩擦の大きい部材を設ければ、基台１と車両とを固定した後に、可動凸部７０上に本体３を載せ、可動凸部７０上で本体３を所望の姿勢に保持しつつ可動凸部７０と本体３とを滑らせながら、操作部を容易に操作して可動凸部７０を下降させることができ、本体３と基台１とを所望の姿勢で固定することが容易にできる。
【００５６】
図６は本発明の第３の実施形態を示している。本実施形態において車載機器の取り付け具は、基本的には第１，２の実施形態と同様であり、ダッシュボード等へ固定させる基台１を備えているとともに、基台１上には車載機器２を着脱可能に保持するための連係手段を有し、その基台１上で車載機器２を適宜な姿勢に保持する構成になっている。第１，２の実施形態と同様な構成には同一符号を付してあり、その説明を省略する。
【００５７】
本実施形態では連係手段の凹部６，凸部７を変更している。基台１は略円板形状であり、凸部７は車載機器２の取り付け面に設け、凹部６は基台１上に設けている。ここで、車載機器２は本体３を球形状のものとし、情報表示のための表示部４も、その球形状の一部に組み込んだ構成にしている。
【００５８】
凹部６には粘着性部材８を略面一状態に埋め込み設けている。これは第１の実施形態と同様であり、図６に示すように、基台１には上下に連なる孔部９を設け、当該孔部９へゲル状材料を充填させて一体化成形することにより、粘着性シート５および粘着性部材８を一体に形成する構成になっている。
【００５９】
この場合、球形状の本体３では何れの部位でも凸部７に該当し、何れの部位でも車載機器２の取り付け面となり、姿勢の自由度が大きい。また、取り付け面を凸形状にするため車載機器２は本体３の容積が増し、内部に収める回路要素に対して空間に余裕ができ、機能向上化のため回路要素が増大するような設計変更も可能になり設計の自由度を向上できる。
【００６０】
また、上記の各実施形態では、いずれも粘着性部材は、基台１側に設けたが、車載機器２側に設けてももちろん良い。また、車載機器２を基台１に適宜の姿勢で保持するための保持手段は、実施形態では、粘着性部材を用いたが、磁石その他の手段を用いることができる。
【符号の説明】
【００６１】
１    基台
２    車載機器
３    本体
４    表示部
５    粘着性シート
６    凹部
７    凸部
７０    可動凸部
８    粘着性部材
９    孔部
１０    摩擦性表面
１１    基板
１２    ホルダ支柱
【図１】
2010241297.tif 000003
【図２】
2010241297.tif 000004
【図３】
2010241297.tif 000005
【図４】
2010241297.tif 000006
【図５】
2010241297.tif 000007
【図６】
2010241297.tif 000008
【図７】
2010241297.tif 000009